(57)【要約】【課題】  予め形成されている配線板上の配線を所望する配線の引出方向に引き出すことが可能となる配線板の接続構造および発光素子用配線板を提供すること。【解決手段】  本発明の配線板の接続構造は、正方形状Ｓの四隅にそれぞれ配設されている接続ランド４Ａ、４Ｂ、４Ｃ、４Ｄと、正方形状Ｓの対角線上に位置する２つの接続ランド４Ａ、４Ｃ並びに４Ｂ、４Ｄをそれぞれ接続する配線５、６とを有する第１の配線板２と、正方形状Ｓの辺に沿った間隔ｄと同等の間隔を有して配設されている接続端子８ａ、９ａを有する第２の配線板３とを有しており、第１の配線板２の隣り合う接続ランド（４Ａ、４Ｂ）、（４Ｂ、４Ｃ）、（４Ｃ、４Ｄ）、（４Ｄ、４Ａ）と第２の配線板３の接続端子８ａ、９ａとをそれぞれ電気的に接続させる構造になっている。【選択図】      図２
2007012785.tif 000002
【特許請求の範囲】
【請求項１】
第１の配線板と、第２の配線板とを有しており、
前記第１の配線板には４つの接続ランドが正方形状の四隅の位置に１つずつ配設されており、対角線上に位置する２つの前記接続ランド同士はそれぞれ配線により接続されており、
前記第２の配線には一対の接続端子が配設されており、該一対の接続端子の間隔は、前記正方形状の辺に沿って隣接する２つの前記接続ランドの間隔と同等に設定されており、
前記第１の配線板と前記第２の配線板とは、前記正方形状の辺に沿って隣接する２つの前記接続ランドと前記一対の接続端子により電気的に接続されていることを特徴とする配線板の接続構造。
【請求項２】
第１の配線板と、第２の配線板とを有しており、
前記第１の配線板には４つの接続ランドが正方形状の四隅の位置に１つずつ配設されており、対角線上に位置する２つの前記接続ランド同士はそれぞれ配線により接続されており、前記配線には発光素子が接続されており、
前記第２の配線には一対の接続端子が配設されており、該一対の接続端子の間隔は、前記正方形状の辺に沿って隣接する２つの前記接続ランドの間隔と同等に設定されており、
前記第１の配線板と前記第２の配線板とは、前記正方形状の辺に沿って隣接する２つの前記接続ランドと前記一対の接続端子により電気的に接続されていることを特徴とする発光素子用配線基板。
【発明の詳細な説明】
【技術分野】
【０００１】
本発明は、配線板の接続構造および発光素子用配線板に係り、特に、液晶表示装置のバックライトに配設される発光ダイオード取付用フレキシブル配線板に好適に用いられる配線板の接続構造および発光素子用配線板に関する。
【背景技術】
【０００２】
一般的に、液晶ディスプレイやプラズマディスプレイパネル（ＰＤＰ）などの画像表示装置、ＣＤプレイヤー、ハードディスクドライブ（ＨＤＤ）、折り畳み式携帯電話機などの電子機器はプリント配線板を有して形成されている。このプリント配線板は、主に２種類に分けられる。その１つは、半導体部品の接続を容易にする硬質の配線基板に高密度の配線を成形したリジット配線板であり、他の１つは、可撓性に優れた軟質の絶縁基板に高密度の配線を成形したフレキシブル配線板である。
【０００３】
フレキシブル配線板は、リジッド配線板と同程度の配線密度を確保しつつ、その重量を軽く、またその厚さを薄くすることができるので、電子機器の小型・軽量化に適している。また、フレキシブル配線板は、リジッド配線板とは異なり、自由に折り曲げて使うことができるので、折り畳み式携帯電話機のヒンジ部などの可動式電子機器の回路や各電子部品間の接続に適している。これらの特徴を生かして、フレキシブル配線板は、発光ダイオードやＩＣチップなどの半導体部品を当該フレキシブル配線板上に取り付けるとともに電源や他の電子部品が取り付けられたリジット配線板に接続するような、電子部品の取付基板やリジット配線板との接続に多用されている。
【０００４】
以下、図７および図８を用いて、従来のフレキシブル配線板の一例を説明する。ここで、図７は、画像表示装置の面状光源装置１１１Ａに用いられている従来のフレキシブル配線板１０１Ａの一形状を示している。具体的には、図７（ａ）は面状光源装置１１１Ａを示しており、図７（ｂ）は図７（ａ）の面状光源装置１１１Ａに配設された発光素子１０７用のフレキシブル配線板１０１Ａを示している。また、図８は、画像表示装置の面状光源装置１１１Ｂに用いられている従来のフレキシブル配線板１０１Ｂの他の形状を示している。具体的には、図８（ａ）は面状光源装置１１１Ｂを示しており、図８（ｂ）は図８（ａ）の面状光源装置１１１Ｂに配設された発光素子１０７用のフレキシブル配線板１０１Ｂを示している。
【０００５】
図７もしくは図８に示すように、一般的に、画像表示装置（図示せず）の面状光源装置１１１Ａ、１１１Ｂは、２枚の透明基板間に液晶を封入して形成された液晶表示パネルなどの画像表示パネル（図示せず）の背面に、拡散シート（図示せず）、導光板１１２、反射シート（図示せず）を備えているとともに、当該導光板１１２の側方に発光ダイオードなどの発光素子１０７が取り付けられた発光素子１０７用のフレキシブル配線板１０１Ａもしくは１０１Ｂを備えている。これら拡散シート、導光板１１２、反射シートおよびフレキシブル配線板１０１Ａもしくは１０１Ｂは矩形箱状の筐体１１３に内設されている。また、この筐体１１３は、画像表示パネルや画像表示パネルを制御する基板などとともに、矩形額縁状のフレーム１１４に内設されている。
【０００６】
従来のフレキシブル配線板１０１Ａおよび１０１Ｂは、可撓性絶縁体を用いて形成されたベースフィルムと、ベースフィルム上に形成された配線１０５、１０６と、配線１０５、１０６の上に形成された可撓性絶縁体のカバーフィルムとを有している。
【０００７】
ここで、図７および図８に示すように、従来のフレキシブル配線板１０１Ａおよび１０１Ｂは、発光素子１０７を取り付ける取付基台部１０３ａと、発光素子１０７に電力を供給する電源を接続する外部端子１０５ａ、１０６ａを有する接続部１０３ｂとを備えており、配線１０５、１０６の引出方向ＦＤに応じて、当該接続部１０３ｂの形成方向（長手方向）が決められていた。例えば、図７に示すように、配線１０５、１０６の引出方向（接続部１０３ｂの形成方向と同一の方向）ＦＤを図面左方にする場合、接続部１０３ｂの長手方向を取付基台部１０３ａの長手方向と平行（いわゆる横一文字状）にして、従来のフレキシブル配線板１０１Ａは一体形成されていた。また、図８に示すように、配線１０５、１０６の引出方向ＦＤを図面下方にする場合、接続部１０３ｂの長手方向を取付基台部１０３ａの長手方向と直角（いわゆる逆Ｌ字形状）にして、従来のフレキシブル配線板１０１Ｂは一体形成されていた。
【０００８】
このようにして、従来のフレキシブル配線板１０１Ａおよび１０１Ｂは、発光素子１０７などの半導体部品を取付基台部１０３ａに取り付けつつ、外部端子１０５ａ、１０６ａを有する接続部１０３ｂをＵ字状やＬ字状などに変形させて、電源や他の基板に接続することができるようになっていた。
【０００９】
【特許文献１】特開２００５−７７７５７号公報
【発明の開示】
【発明が解決しようとする課題】
【００１０】
しかしながら、図７および図８に示すように、配線１０５、１０６の引出方向ＦＤに応じてフレキシブル配線板１０１Ａ、１０１Ｂなどの形状に変えなければならないので、配線１０５、１０６の引出方向ＦＤが異なる面状光源装置１１１Ａ、１１１Ｂ間において当該フレキシブル配線板１０１Ａおよび１０１Ｂを共用化することができなかった、そのため、製造する面状光源装置１１１Ａ、１１１Ｂなどの種類が多くなるほど接続部１０３ｂの形成方向（配線１０５、１０６の引出方向ＦＤ）が異なるフレキシブル配線板（フレキシブル配線板１０１Ａ、１０１Ｂなど）が多くなり、フレキシブル配線板１０１Ａ、１０１Ｂなどのフレキシブル配線板全体として製造コストが増加するという問題があった。
【００１１】
そこで、本発明はこれらの点に鑑みてなされたものであり、予め形成されている配線板上の配線を所望する配線の引出方向に引き出すことが可能となる配線板の接続構造および発光素子用配線板を提供することにある。
【課題を解決するための手段】
【００１２】
前述した目的を達成するため、本発明の配線板の接続構造は、第１の配線板と、第２の配線板とを有しており、前記第１の配線板には４つの接続ランドが正方形状の四隅の位置に１つずつ配設されており、対角線上に位置する２つの前記接続ランド同士はそれぞれ配線により接続されており、前記第２の配線には一対の接続端子が配設されており、該一対の接続端子の間隔は、前記正方形状の辺に沿って隣接する２つの前記接続ランドの間隔と同等に設定されており、前記第１の配線板と前記第２の配線板とは、前記正方形状の辺に沿って隣接する２つの前記接続ランドと前記一対の接続端子により電気的に接続されていることを特徴としている。
【００１３】
これによって、予め形成されている２つの配線板を組み合わせてできる４方向の配線の引出方向のうち所望する配線の引出方向に当該配線を引き出して使用することができる。
【００１４】
また、本発明の発光素子用配線板は、第１の配線板と、第２の配線板とを有しており、前記第１の配線板には４つの接続ランドが正方形状の四隅の位置に１つずつ配設されており、対角線上に位置する２つの前記接続ランド同士はそれぞれ配線により接続されており、前記配線には発光素子が接続されており、前記第２の配線には一対の接続端子が配設されており、該一対の接続端子の間隔は、前記正方形状の辺に沿って隣接する２つの前記接続ランドの間隔と同等に設定されており、前記第１の配線板と前記第２の配線板とは、前記正方形状の辺に沿って隣接する２つの前記接続ランドと前記一対の接続端子により電気的に接続されていることを特徴としている。
【００１５】
これによって、発光素子が配設される第１の配線板と電源などの外部の配線板に接続される第２の配線板とを組み合わせ、第２の配線板上の接続端子に接続された配線を所望する配線の引出方向に引き出して使用することができる。
【発明の効果】
【００１６】
本発明の配線板の接続構造によって、陽極および陰極などの２種類の接続端子を有する配線板を各装置において共用化することができるので、当該配線板全体としての製造コストが低廉なものとなるという効果を奏する。
【００１７】
特に、本発明の発光素子用配線板によって、バックライトなどの面状光源装置においてそれぞれ形状が異なっていた発光ダイオード用配線板などの発光素子用配線板を共用化することができるので、大幅な製造コストの低廉化を図ることができるという効果を奏する。
【発明を実施するための最良の形態】
【００１８】
以下、図１から図６を用いて、本発明の配線板の接続構造および発光素子用配線板１の一実施形態を説明する。ここで、図１は、本実施形態の発光素子用配線板１を示している。図２は、本実施形態の配線板の接続構造を示している。図３は、配線板の接続構造の接続パターンを示している。そして、図４は、他の実施形態の発光素子用配線板を示している。
【００１９】
図１に示すように、本実施形態の発光素子用配線板１は、第１の配線板２および第２の配線板３を組み合わせて形成されている。これら第１の配線板２および第２の配線板３は、可撓性絶縁体を用いて形成された略長方形状のベースフィルム２ａ、３ａと、ベースフィルム２ａ、３ａ上に形成された配線５および６並びに８および９と、配線５および６並びに８および９の上に形成された可撓性絶縁体のカバーフィルム２ｂ、３ｂとをそれぞれ有している。
【００２０】
ここで、第１の配線板２は、発光ダイオードなどの発光素子７を取り付けるための発光素子用ランド（図示せず）と、第１の配線板２の配線５、６を介して発光素子用ランドに接続している矩形状の４個の接続ランド４Ａ、４Ｂ、４Ｃ、４Ｄとを有している。この４個の接続ランド４Ａ、４Ｂ、４Ｃ、４Ｄは、図１および図２に示すように、任意の大きさの正方形状Ｓの四隅にそれぞれ配設されているとともに、正方形状Ｓの対角線上に位置する２つの接続ランド４Ａおよび４Ｃ並びに４Ｂおよび４Ｄが配線６もしくは５を用いてそれぞれ接続されており、対角線上の接続ランド４Ａおよび４Ｃ並びに４Ｂおよび４Ｄが同極となっている（図２においては、接続ランド４Ａ、４Ｃが陽極Ａとなっており、接続ランド４Ｂ、４Ｄが陰極Ｋとなっている。）。
【００２１】
また、第２の配線板３は、図１に示すように、接続ランド４Ａ、４Ｂ、４Ｃ、４Ｄに接続される接続端子８ａ、９ａと、第２の配線板３の配線８、９を介して接続端子８ａ、９ａに接続している外部端子８ｂ、９ｂとを有している。また、この接続端子８ａ、９ａは、図２に示すように、前述した正方形状Ｓの辺に沿った間隔ｄと同等の間隔を有して配設されている。
【００２２】
そして、本実施形態の配線板の接続構造として、第１の配線板２および第２の配線板３は、図３（ａ）に示すように、正方形状Ｓの四隅に配設された接続ランド４Ａ、４Ｂ、４Ｃ、４Ｄのうちの隣り合う接続ランド４Ａおよび４Ｄと、第２の配線板３の接続端子８ａ、９ａとを、はんだなどの導電性部材１０によってそれぞれ接続させる接続構造になっている。また、図３（ｂ）、（ｃ）、（ｄ）に示すように、接続ランド４Ａ、４Ｂ、４Ｃ、４Ｄのうちの隣り合う接続ランドのパターン４Ａおよび４Ｂ（図３（ｂ）を参照）、４Ｂおよび４Ｃ（図３（ｃ）を参照）もしくは４Ｃおよび４Ｄ（図３（ｄ）を参照）と、第２の配線板３の接続端子８ａ、９ａとを導電性部材１０によってそれぞれ接続させる接続構造になっていても良い。すなわち、図３（ａ）〜（ｄ）に示すような４方向（上下左右）のいずれにおいても、第１の配線板２および第２の配線板３を接続できるようになっている。
【００２３】
なお、第１の配線板２における接続ランド４Ａ、４Ｂ、４Ｃ、４Ｄの形成位置は、図１に示すような長手方向の左方のみに限られず、図４に示すように、長手方向の右方および左方の両方にそれぞれ形成しても良い。
【００２４】
次に、図２、図３、図５および図６を用いて、本実施形態の配線板の接続構造および発光素子用配線板１の作用を説明する。ここで、図５は、本実施形態の発光素子用配線板１において、第２の配線板３を第１の配線板２に対して図５の左方から接続した状態を示している。具体的には、図５（ａ）は面状光源装置１１Ａを示しており、図５（ｂ）は図５（ａ）の面状光源装置１１Ａに配設された発光素子用配線板１を示している。また、図６は、本実施形態の発光素子用配線板１において、第２の配線板３を第１の配線板２に対して図６の下方から接続した状態を示している。具体的には、図６（ａ）は面状光源装置１１Ｂを示しており、図６（ｂ）は図６（ａ）の面状光源装置１１Ｂに配設された発光素子用配線板１を示している。
【００２５】
図２に示すように、本実施形態の配線板の接続構造は、正方形状Ｓの四隅に配設された４つの接続ランド４Ａ、４Ｂ、４Ｃ、４Ｄを有する第１の配線板２に、その正方形状Ｓの辺に沿った間隔ｄと同等の間隔を有して配設された接続端子８ａ、９ａを有する第２の配線板３を接続させる構造になっているので、図３（ａ）〜（ｄ）に示すように、第１の配線板２に対して第２の配線板３を４方向の配設方向に変更させることができる。これによって、決められた形状の配線板（第１の配線板２および第２の配線板３）を予め製造して保有しておいても、当該配線板（第１の配線板２および第２の配線板３）が配設される製品の組立時に、第１の配線板２および第２の配線板３を組み合わせてできる４方向の配線８、９の引出方向ＦＤのうち、所望する配線８、９の引出方向ＦＤに当該配線８、９を引き出して使用することができる。
【００２６】
特に、本実施形態の配線板の接続構造を採用した本実施形態の発光素子用配線板１は、電源などの配線に接続するために特定される配線８、９の引出方向ＦＤに合わせて、発光素子７が配設される第１の配線板２と電源などの外部の配線板に接続される第２の配線板３とを組み合わせ、第２の配線板３上の接続端子８ａ、９ａに接続された配線８、９を所望する配線８、９の引出方向ＦＤに引き出して使用することができる。例えば、図５に示すように、拡散シート（図示せず）、導光板１２、反射シート（図示せず）をその筐体１３内に備えているとともに、当該導光板１２の側方に発光素子７が取り付けられた本実施形態の発光素子用配線板１を備えている面状光源装置１１Ａ、１１Ｂにおいて、本実施形態の発光素子用配線板１は、配線８、９の引出方向（第２の配線板３の長手方向と同一の方向）ＦＤを図面左方にする場合、第２の配線板３の長手方向を第１の配線板２の長手方向と平行（いわゆる横一文字状）になるように接続して用いることができる。また、図６に示すように、配線８、９の引出方向ＦＤを図面下方にする場合、第２の配線板３の長手方向を第１の配線板２の長手方向と直角（いわゆる逆Ｌ字形状）になるように接続して用いることができる。
【００２７】
すなわち、本実施形態の配線板の接続構造は、陽極および陰極などの２種類の外部端子８ｂ、９ｂを有する配線板（第１の配線板２と第２の配線板３とを組み合わせたもの）を各装置間において共用化することができるので、当該配線板全体としての製造コストを低廉なものにすることができるという効果を奏する。特に、本実施形態の発光素子用配線板１は、バックライトなどの面状光源装置１１Ａ、１１Ｂにおいてそれぞれ形状が異なっていた発光素子用配線板１を共用化することができるので、大幅な製造コストの低廉化を図ることができるという効果を奏する。
【００２８】
なお、本発明は、前述した実施の形態に限定されるものではなく、必要に応じて種々の変更が可能である。例えば、本発明の配線板の接続構造および発光素子用配線板は、第１の配線板および第２の配線板にリジット配線板を用いて形成しても良い。
【図面の簡単な説明】
【００２９】
【図１】本発明の配線板の接続構造および発光素子用配線板の一態様を示す平面図
【図２】本実施形態の配線板の接続構造を示す図１の拡大平面図
【図３】本実施形態の配線板の接続構造における４つの接続パターンを示す平面図：（ａ）〜（ｄ）は第２の配線板を各方向から接続した場合を示しており、（ａ）は左方から、（ｂ）は上方から、（ｃ）は右方から、そして（ｄ）は下方から接続した場合を示している。
【図４】他の実施形態の発光素子用配線板を示す平面図
【図５】本実施形態の発光素子用配線板において、第２の配線板を第１の配線板に対して図５の左方から接続した状態を示す平面図：（ａ）は面状光源装置を示しており、（ｂ）は（ａ）の面状光源装置に配設された発光素子用配線板を示している。
【図６】本実施形態の発光素子用配線板において、第２の配線板を第１の配線板に対して図６の下方から接続した状態を示す平面図：（ａ）は面状光源装置を示しており、（ｂ）は（ａ）の面状光源装置に配設された発光素子用配線板を示している。
【図７】画像表示装置の面状光源装置に用いられている従来のフレキシブル配線板の一形状を示す平面図：（ａ）は面状光源装置を示しており、（ｂ）は（ａ）の面状光源装置に配設された発光素子用フレキシブル配線板を示している。
【図８】画像表示装置の面状光源装置に用いられている従来のフレキシブル配線板の他の形状を示す平面図：（ａ）は面状光源装置を示しており、（ｂ）は（ａ）の面状光源装置に配設された発光素子用フレキシブル配線板を示している。
【符号の説明】
【００３０】
１  発光素子用配線板
２  第１の配線板
２ａ  ベースフィルム
２ｂ  カバーフィルム
３  第２の配線板
３ａ  ベースフィルム
３ｂ  カバーフィルム
４Ａ、４Ｂ、４Ｃ、４Ｄ  接続ランド
５  （接続ランド４Ｂ、４Ｄに接続している）配線
６  （接続ランド４Ａ、４Ｃに接続している）配線
７  発光素子
８  配線
８ａ  接続端子（接続ランドに接続される端子）
８ｂ  外部端子（外部の配線に接続される端子）
９  配線
９ａ  接続端子（接続ランドに接続される端子）
９ｂ  外部端子（外部の配線に接続される端子）
１０  導電性接着材
１１  面状光源装置
１２  導光板
１３  筐体
１４  フレーム
ＦＤ  配線の引出方向
Ｓ  正方形状
ｄ  正方形状の辺に沿った間隔
【図１】
2007012785.tif 000003
【図２】
2007012785.tif 000004
【図３】
2007012785.tif 000005
【図４】
2007012785.tif 000006
【図５】
2007012785.tif 000007
【図６】
2007012785.tif 000008
【図７】
2007012785.tif 000009
【図８】
2007012785.tif 000010